(57)【要約】【課題】巣からの糞等の落下物による被害を簡単に防ぐことができる落下物受け具を提供する。【解決手段】落下物受け具２は、鳥類の巣１から落下する糞等の落下物を受ける落下物受け部材４と、その落下物受け部材４を保持する一対の保持腕５、５と、その一対の保持腕５、５を落下物受け部材４とともに、巣１の下方に取り付ける取付手段６とを備える。落下物受け部材４は、展開可能な蛇腹状に形成される。保持腕５は、落下物受け部材４の蛇腹が展開する方向の各端部に、その各端部に沿って設けられる。【選択図】  図１
2019122941.tif 000002
【特許請求の範囲】
【請求項１】
鳥類の巣から落下する糞等の落下物を受けるための落下物受け具であって、
前記落下物を受ける落下物受け部材と、その落下物受け部材を保持する一対の保持腕と、その一対の保持腕を前記落下物受け部材とともに、前記巣の下方であって地面、床面等の下の面から離れた上方位置に取り付ける取付手段とを備え、
前記落下物受け部材は、展開可能な蛇腹状に形成されて、前記落下物を受ける面積を変更可能であって、
前記保持腕は、前記落下物受け部材の展開する方向の各端部に、その各端部に沿って設けられて、その各端部を保持する、落下物受け具。
【請求項２】
前記一対の保持腕は、一端側に備わる軸心の回りに相対回動可能に支持されて、その相対回動による一対の保持腕間の広がりにより、前記落下物受け部材が扇状に展開する、請求項１に記載の落下物受け具。
【請求項３】
前記落下物受け部材は、前記一対の保持腕間が少なくとも９０度の角度となるまで、扇状に展開可能である、請求項２に記載の落下物受け具。
【請求項４】
前記一対の保持腕間の角度を維持する維持手段を備える、請求項２または３に記載の落下物受け具。
【請求項５】
前記落下物受け部材は、前記軸心との間に隙間が形成されるよう、その軸心から離れて設けられる、請求項２ないし４のいずれか１項に記載の落下物受け具。
【請求項６】
前記一対の保持腕間に、前記落下物受け部材の中間部を保持する補助腕を備える、請求項１ないし５のいずれか１項に記載の落下物受け具。
【請求項７】
前記落下物受け部材には、その展開する方向に対して直交する方向の端縁から上方に起立する立ち壁部が設けられている、請求項１ないし６のいずれか１項に記載の落下物受け具。
【請求項８】
前記取付手段は、前記保持腕に設けられて、被取付物に貼り付けられる両面粘着テープからなる、請求項１ないし７のいずれか１項に記載の落下物受け具。
【請求項９】
前記取付手段は、前記保持腕に留められて、先端部が前記巣に突き刺し可能または前記巣の縁に引っ掛け可能な、掛け部材からなる、請求項１ないし７のいずれか１項に記載の落下物受け具。
【請求項１０】
前記取付手段は、前記保持腕に掛けられて、被取付物に巻き付けられるバンド体からなる、請求項１ないし７のいずれか１項に記載の落下物受け具。
【請求項１１】
前記落下物受け部材の下方の位置に、宣伝、メッセージ等の告知表記が記される、あるいは記された告知部材が設けられる、請求項１ないし１０のいずれか１項に記載の落下物受け具。
【請求項１２】
鳥類の巣から落下する糞等の落下物を受けるための落下物受け具であって、
前記落下物を受ける落下物受け部材と、その落下物受け部材を保持する一対の保持腕と、その一対の保持腕を前記落下物受け部材とともに、前記巣の下方であって地面、床面等の下の面から離れた上方位置に取り付ける取付手段とを備え、
前記保持腕は、前記落下物受け部材を保持するよう、その落下物受け部材の端部が着脱可能に取り付けられる受け部材取付部を有する、落下物受け具。
【請求項１３】
鳥類の巣から落下する糞等の落下物を受ける落下物受け部材を設置するための、落下物受け部材設置具であって、
一端側に備わる軸心の回りに相対回動可能に支持されて、前記落下物受け部材を保持する、一対の保持腕と、その一対の保持腕を前記落下物受け部材とともに、前記巣の下方であって地面、床面等の下の面から離れた上方位置に取り付ける取付手段とを備え、
前記保持腕は、前記落下物受け部材を保持するよう、その落下物受け部材の端部が着脱可能に取り付けられる受け部材取付部を有する、落下物受け部材設置具。
【請求項１４】
前記保持腕は、他の落下物受け部材設置具の保持腕と連結可能な連結部を有する、請求項１３に記載の落下物受け部材設置具。
【請求項１５】
前記一対の保持腕間に、前記落下物受け部材の中間部を保持する補助腕を備え、
前記補助腕は、前記保持腕の前記軸心部分に支持されて、前記落下物受け部材を下方から支える、請求項１３または１４に記載の落下物受け部材設置具。
【請求項１６】
前記落下物受け部材の下方の位置に、宣伝、メッセージ等の告知表記が記される、あるいは記された告知部材が設けられる、請求項１３ないし１５のいずれか１項に記載の落下物受け部材設置具。
【発明の詳細な説明】
【技術分野】
【０００１】
この発明は、巣からの糞等の落下物を受ける落下物受け具および落下物受け部材設置具に関するものである。
【背景技術】
【０００２】
従来、巣にいる鳥の糞が、巣の下方の車に付着するのを防止するためのシートがあった（例えば、特許文献１参照）。このシートは、磁石を用いて車に貼り付けられるものであって、このシートで、落下する糞を受け止めることで、車が糞で汚れるのを防いだ。
【先行技術文献】
【特許文献】
【０００３】
【特許文献１】特開２００７−１３１２８５
【発明の概要】
【発明が解決しようとする課題】
【０００４】
しかし、前記従来のシートは、車を使うたびに取り外し、戻ったときに、再度取り付ける必要があり面倒であった。また、このように、車へのシートの取り付けと取り外しを必要とすることから、店舗等に駐車する不特定の車に対しては、対応できなかった。
【０００５】
この発明は、上記した従来の欠点を解決するためになされたものであり、その目的とするところは、巣からの糞等の落下物による被害を簡単に防ぐことができる、落下物受け具および落下物受け部材設置具を提供することにある。
【課題を解決するための手段】
【０００６】
この発明に係る落下物受け具および落下物受け部材設置具は、前記目的を達成するために、次の構成からなる。すなわち、
請求項１に記載の発明に係る落下物受け具は、鳥類の巣から落下する糞等の落下物を受けるための受け具である。この落下物受け具は、前記落下物を受ける落下物受け部材と、その落下物受け部材を保持する一対の保持腕と、その一対の保持腕を前記落下物受け部材とともに、前記巣の下方であって地面、床面等の下の面から離れた上方位置に取り付ける取付手段とを備える。ここで、前記落下物受け部材は、展開可能な蛇腹状に形成されて、前記落下物を受ける面積を変更可能である。そして、前記保持腕は、前記落下物受け部材の展開する方向の各端部に、その各端部に沿って設けられて、その各端部を保持する。
【０００７】
この落下物受け具によると、取付手段によって、一対の保持腕が落下物受け部材とともに、巣の下方であって地面、床面等の下の面から離れた上方位置に取り付けられる。このため、鳥類の巣から落下する糞等の落下物を、地面、床面等の下の面に到達する前に、保持腕で保持された落下物受け部材で受けることができる。そして、落下物受け部材は、展開可能な蛇腹状に形成されて、落下物を受ける面積を変更可能であることから、保管の際には、落下物受け部材を畳んで保管することができ、使用の際には、この落下物受け部材を展開して配置することができ、また、廃棄の際には、落下物受け部材を畳んで廃棄することができる。
【０００８】
また、請求項２に記載の発明に係る落下物受け具は、請求項１に記載の落下物受け具において、前記一対の保持腕は、一端側に備わる軸心の回りに相対回動可能に支持されて、その相対回動による一対の保持腕間の広がりにより、前記落下物受け部材が扇状に展開する。
【０００９】
また、請求項３に記載の発明に係る落下物受け具は、請求項２に記載の落下物受け具において、前記落下物受け部材は、前記一対の保持腕間が少なくとも９０度の角度となるまで、扇状に展開可能である。
【００１０】
また、請求項４に記載の発明に係る落下物受け具は、請求項２または３に記載の落下物受け具において、前記一対の保持腕間の角度を維持する維持手段を備える。
【００１１】
また、請求項５に記載の発明に係る落下物受け具は、請求項２ないし４のいずれか１項に記載の落下物受け具において、前記落下物受け部材は、前記軸心との間に隙間が形成されるよう、その軸心から離れて設けられる。落下物受け部材と軸心との間に隙間が形成されることで、その隙間が風抜きの孔となり、風圧を逃がすことができる。
【００１２】
また、請求項６に記載の発明に係る落下物受け具は、請求項１ないし５のいずれか１項に記載の落下物受け具において、前記一対の保持腕間に、前記落下物受け部材の中間部を保持する補助腕を備える。補助腕で落下物受け部材の中間部を保持することで、その中間部の垂れ下がりを防止することができる。
【００１３】
また、請求項７に記載の発明に係る落下物受け具は、請求項１ないし６のいずれか１項に記載の落下物受け具において、前記落下物受け部材には、その展開する方向に対して直交する方向の端縁から上方に起立する立ち壁部が設けられている。落下物受け部材の端縁に立ち壁部を設けることで、受けた落下物が端縁から落ちるのを防止することができる。
【００１４】
また、請求項８に記載の発明に係る落下物受け具は、請求項１ないし７のいずれか１項に記載の落下物受け具において、前記取付手段は、前記保持腕に設けられて、被取付物に貼り付けられる両面粘着テープからなる。
【００１５】
また、請求項９に記載の発明に係る落下物受け具は、請求項１ないし７のいずれか１項に記載の落下物受け具において、前記取付手段は、前記保持腕に留められて、先端部が前記巣に突き刺し可能または前記巣の縁に引っ掛け可能な、掛け部材からなる。
【００１６】
また、請求項１０に記載の発明に係る落下物受け具は、請求項１ないし７のいずれか１項に記載の落下物受け具において、前記取付手段は、前記保持腕に掛けられて、被取付物に巻き付けられるバンド体からなる。
【００１７】
また、請求項１１に記載の発明に係る落下物受け具は、請求項１ないし１０のいずれか１項に記載の落下物受け具において、前記落下物受け部材の下方の位置に、宣伝、メッセージ等の告知表記が記される、あるいは記された告知部材が設けられる。
【００１８】
また、請求項１２に記載の発明に係る落下物受け具は、鳥類の巣から落下する糞等の落下物を受けるための受け具である。この落下物受け具は、前記落下物を受ける落下物受け部材と、その落下物受け部材を保持する一対の保持腕と、その一対の保持腕を前記落下物受け部材とともに、前記巣の下方であって地面、床面等の下の面から離れた上方位置に取り付ける取付手段とを備える。ここで、前記保持腕は、前記落下物受け部材を保持するよう、その落下物受け部材の端部が着脱可能に取り付けられる受け部材取付部を有する。
【００１９】
この落下物受け具によると、取付手段によって、一対の保持腕が落下物受け部材とともに、巣の下方であって地面、床面等の下の面から離れた上方位置に取り付けられる。このため、鳥類の巣から落下する糞等の落下物を、地面、床面等の下の面に到達する前に、保持腕で保持された落下物受け部材で受けることができる。そして、落下物受け部材は、保持腕の受け部材取付部に着脱可能に取り付けられることから、廃棄の際には、落下物受け部材を、保持腕から取り外して廃棄することができる。
【００２０】
また、請求項１３に記載の発明に係る落下物受け部材設置具は、鳥類の巣から落下する糞等の落下物を受ける落下物受け部材を設置するための、設置具である。この落下物受け部材設置具は、一端側に備わる軸心の回りに相対回動可能に支持されて、前記落下物受け部材を保持する、一対の保持腕と、その一対の保持腕を前記落下物受け部材とともに、前記巣の下方であって地面、床面等の下の面から離れた上方位置に取り付ける取付手段とを備える。ここで、前記保持腕は、前記落下物受け部材を保持するよう、その落下物受け部材の端部が着脱可能に取り付けられる、受け部材取付部を有する。
【００２１】
この落下物受け部材設置具によると、一対の保持腕が、一端側に備わる軸心の回りに相対回動可能に支持されて、落下物受け部材を保持する。そして、取付手段によって、一対の保持腕が落下物受け部材とともに、巣の下方であって地面、床面等の下の面から離れた上方位置に取り付けられる。このため、鳥類の巣から落下する糞等の落下物を、地面、床面等の下の面に到達する前に、保持腕で保持された落下物受け部材で受けることができる。そして、落下物受け部材は、保持腕の受け部材取付部に着脱可能に取り付けられることから、廃棄の際には、落下物受け部材を、保持腕から取り外して廃棄することができる。
【００２２】
また、請求項１４に記載の発明に係る落下物受け部材設置具は、請求項１３に記載の落下物受け部材設置具において、前記保持腕は、他の落下物受け部材設置具の保持腕と連結可能な連結部を有する。保持腕が連結部を有することで、この連結部を介して、複数の落下物受け部材を繋いで用いることができる。
【００２３】
また、請求項１５に記載の発明に係る落下物受け部材設置具は、請求項１３または１４に記載の落下物受け部材設置具において、前記一対の保持腕間に、前記落下物受け部材の中間部を保持する補助腕を備える。この補助腕は、前記保持腕の前記軸心部分に支持されて、前記落下物受け部材を下方から支える。補助腕で落下物受け部材の中間部を保持することで、その中間部の垂れ下がりを防止することができる。
【００２４】
また、請求項１６に記載の発明に係る落下物受け部材設置具は、請求項１３ないし１５のいずれか１項に記載の落下物受け部材設置具において、前記落下物受け部材の下方の位置に、宣伝、メッセージ等の告知表記が記される、あるいは記された告知部材が設けられる。
【発明の効果】
【００２５】
この発明に係る落下物受け具および落下物受け部材設置具によれば、一対の保持腕で保持された落下物受け部材を、巣の下方であって地面、床面等の下の面から離れた上方位置に取り付けることで、巣からの糞等の落下物による被害を簡単に防ぐことができる。
【図面の簡単な説明】
【００２６】
【図１】この発明の一実施の形態の落下物受け具において、一対の保持腕間を１８０度とした斜視図である。
【図２】同じく、一対の保持腕間を９０度とし、角度維持部材を取り除いた、斜め上からの斜視図である。
【図３】同じく、一対の保持腕間を９０度とし、角度維持部材を取り除いた、斜め下からの斜視図である。
【図４】同じく、落下物受け部材設置具の、補助腕と角度維持部材を取り除いた斜視図である。
【図５】同じく、保持腕の斜視図である。
【図６】同じく、掛け部材の正面図である。
【図７】同じく、補助腕の正面図である。
【図８】同じく、角度維持部材の、斜め上からの斜視図である。
【図９】同じく、角度維持部材の、斜め下からの斜視図である。
【図１０】同じく、落下物受け部材を二つ繋いだ平面図である。
【図１１】この発明の一実施の形態の変形例であって、落下物受け具に告知部材を設けた斜視図である。
【図１２】この発明の他の実施の形態の、落下物受け具の斜視図である。
【発明を実施するための形態】
【００２７】
以下、この発明に係る落下物受け具および落下物受け部材設置具を実施するための形態を図面に基づいて説明する。
【００２８】
図１〜図１０は、本発明の一実施の形態を示す。図中符号１は、鳥類の巣を示す。２は、前記鳥類の巣１から落下する糞等の落下物を受けるための落下物受け具を示す。３は、落下物受け部材設置具を示す。
【００２９】
ここで、落下物受け具２は、糞等の落下物を受ける落下物受け部材４と、その落下物受け部材４（詳しくは、落下物受け部材４の各端部）を保持する一対の保持腕５、５と、その一対の保持腕５、５を落下物受け部材４とともに、巣１の下方であって地面、床面等の下の面から離れた上方位置に取り付ける取付手段６とを備える。
【００３０】
詳細には、落下物受け部材４は、展開可能な蛇腹状に形成されて、落下物を受ける面積（つまり、鉛直方向に投影した水平面の面積）を変更可能となっている。そして、保持腕５は、落下物受け部材４の展開する方向の各端部に、その各端部に沿って設けられて、その各端部を保持する。また、保持腕５は、落下物受け部材４を保持するよう、その落下物受け部材４（詳しくは、落下物受け部材４の端部）が着脱可能に取り付けられる受け部材取付部５ａを有する。
【００３１】
また、一対の保持腕５、５は、一端側に備わる軸心７の回りに相対回動可能に支持されて、落下物受け部材４（詳しくは、落下物受け部材４の各端部）を保持する。そこで、その相対回動による一対の保持腕５、５間の広がりにより、落下物受け部材４が扇状に展開する。そして、落下物受け部材４は、一対の保持腕５、５間が少なくとも９０度の角度となるまで（図示実施の形態においては、１８０度の角度まで）、扇状に展開可能となっている（図１参照）。
【００３２】
落下物受け部材設置具３は、鳥類の巣１から落下する糞等の落下物を受ける落下物受け部材４を設置するためのものであって、前記落下物受け具２における、一対の保持腕５、５と取付手段６とを備える（図４参照）。
【００３３】
また、落下物受け具２とか落下物受け部材設置具３は、一対の保持腕５、５間に、落下物受け部材４の中間部を保持する補助腕８を備える。この補助腕８は、保持腕５の前記軸心７部分に支持されて、落下物受け部材４を下方から支える（図２、図３参照）。
【００３４】
具体的には、落下物受け部材４は、例えば紙製（合成紙を含む。）とか合成樹脂製であって、その紙とか合成樹脂とかのシートが蛇腹状に折り曲げられて、水平方向に展開可能な向きで配備される。そして、落下物受け部材４には、その展開する方向に対して直交する方向の端縁（図示実施の形態においては、前記軸心７から離れた側の端縁）から上方に起立する（つまり、落下物受け部材４の落下物を受ける受け面４ｘの前記端縁から上方に起立する）立ち壁部４ａが設けられている。詳細には、この立ち壁部４ａを含めて落下物受け部材４が、一枚のシートからなり、そのシートの端部を起立するように折り曲げることで、その折り曲げた側が、前記立ち壁部４ａとなる。そして、この落下物受け部材４は、保持腕５との関係では、その保持腕５の回動の前記軸心７との間に隙間９が形成されるよう、その軸心７から離れて設けられる。
【００３５】
保持腕５は、例えば合成樹脂製であって、細長平板状に形成されている。そして、保持腕５は、その板面が鉛直面となり、その長手方向が水平方向となる向きで配備される。この保持腕５に設けられる前記受け部材取付部５ａは、保持腕５の板面から突出してその板面に沿って鉛直方向に折れ曲がった第１フック５ｂと、保持腕５の板面から突出してその板面に沿って水平方向に折れ曲がった第２フック５ｃと、保持腕５の板面から突出し第１フック５ｂの先端と対向位置する突片５ｄとを備える。そこで、落下物受け部材４の端部は、フック５ｂ、５ｃの内側に差し込まれ、突片５ｄによって抜け止めされる。こうして、落下物受け部材４は、受け部材取付部５ａ、ひいては保持腕５に取り付けられる。そして、落下物受け部材４の端部が、突片５ｄを超えるようにしてフック５ｂ、５ｃの内側から抜き出されることで、落下物受け部材４は、受け部材取付部５ａ、ひいては保持腕５から外される。
【００３６】
また、保持腕５は、一端側に、前記軸心７を形成するように筒状に形成された軸受け部５ｅを有する。そして、一対の保持腕５、５は、同一部材からなり、一方の保持腕５に対し他方の保持腕５が上下に反転するとともに、互いの軸受け部５ｅ、５ｅが、軸心７の方向に並ぶように配置される。また、保持腕５には、上下の縁部に切欠き５ｆが設けられている。そこで、一対の保持腕５、５を閉じて（つまり、落下物受け部材４を畳んで）、輪ゴム等を切欠き５ｆに掛けるようにして両保持腕５、５に回すことで、それら保持腕５、５を閉じた状態に（つまり、落下物受け部材４を畳んだ状態に）維持することができる。
【００３７】
また、保持腕５は、他の落下物受け部材設置具３の保持腕５（つまりは、他の落下物受け具２の保持腕５）と連結可能な連結部５ｇを有する。図示実施の形態においては、連結部５ｇは、後述する両面粘着テープ６ａからなる。すなわち、この両面粘着テープ６ａが、後述する第１の取付手段と連結部５ｇとを兼ねている。こうして、保持腕５が連結部５ｇを有することで、この連結部５ｇ（つまりは、保持腕５）を介して、複数の落下物受け部材４、４を繋いで用いることができる。図１０は、落下物受け部材４を二つ繋いだ例を示し、これら落下物受け部材４、４が、軸心７回りのほぼ全周に渡って展開している。
【００３８】
補助腕８は、例えば合成樹脂製であって、細長平板状に形成されている。そして、補助腕８は、その板面が鉛直面となり、その長手方向が水平方向となる向きで配備される。そこで、補助腕８は、落下物受け部材４の中間部（図示実施の形態においては、落下物受け部材４の展開する方向の中間部、つまり、一対の保持腕５、５間の中間部）を保持する。また、この補助腕８は、一端側に、前記軸心７を形成するように柱状に形成されて上下に突き出るように延びる軸部８ａを備える。そこで、この上下に突き出た軸部８ａが、各保持腕５における軸受け部５ｅに差し入れられて、一対の保持腕５、５は、軸部８ａの回り、つまり軸心７の回りに相対回動可能に支持される。また、補助腕８は、他端側に、上方に向かって起立する起立部８ｂを備え、その起立部８ｂが、落下物受け部材４の立ち壁部４ａを外側から支える。
【００３９】
取付手段６としては、第１の取付手段と、第２の取付手段と、第３の取付手段とがある。第１の取付手段は、保持腕５に設けられて、被取付物に貼り付けられる両面粘着テープ６ａからなる。詳細には、両面粘着テープ６ａは、一方の面が、保持腕５における、前記受け部材取付部５ａのある側とは反対の面に貼り付けられ、他方の面が被取付物としての壁とか柱等に貼り付けられる。
【００４０】
第２の取付手段は、保持腕５に留められて、先端部６ｃが巣１に突き刺し可能または巣１の縁に引っ掛け可能な、掛け部材６ｂからなる。そこで、この掛け部材６ｂを介して、保持腕５が落下物受け部材４とともに、巣１に吊り下げられる。詳細には、掛け部材６ｂは、針金等の線材からなり、その掛け部材６ｂが、一対の保持腕５、５に対応して一対設けられる。ここで、掛け部材６ｂは、下端側に、逆Ｕ字状に折れ曲がった被係合部６ｄを有し、この被係合部６ｄが、保持腕５の板面から横断面コ字状に突出する係合部５ｈ（図示実施の形態においては、上下に並ぶ係合部５ｈ、５ｈのうちの、下側の係合部）の内側挿通孔Ｑ１に嵌められ、これによって、掛け部材６ｂは、その係合部５ｈ、ひいては保持腕５に留められる。また、図示実施の形態においては、保持腕５は、その板面から突出してその板面に沿って水平方向に折れ曲がったフック５ｉを備え、掛け部材６ｂの中間部が、そのフック５ｉの内側に差し入れられる。そして、掛け部材６ｂは、上端に、鋭角に折り曲げられて形成された前記先端部６ｃを有し、その先端部６ｃが、巣１に突き刺されたり、巣１の縁に引っ掛けられたりする。
【００４１】
また、掛け部材６ｂは、中間位置に、半円状に湾曲した係り部６ｅを有する。そこで、一対の掛け部材６ｂ、６ｂにおける互いの係り部６ｅ、６ｅに、バインド線（図示せず）を掛けて、両掛け部材６ｂ、６ｂを互いに引き寄せることで、掛け部材６ｂ（詳しくは、先端部６ｃ）が巣１から外れるのを防止する。
【００４２】
第３の取付手段は、保持腕５に掛けられて、被取付物に巻き付けられるバンド体（図示せず）からなる。詳細には、保持腕５には、バンド掛け部５ｊ（詳しくは、バンド掛け孔）が設けられ、バンド体は、そのバンド掛け部５ｊに掛けられ、被取付物としての柱等に巻き付けられる。
【００４３】
そこで、これら第１の取付手段（両面粘着テープ６ａ）と第２の取付手段（掛け部材６ｂ）と第３の取付手段（バンド体）の一つあるいは複数が選択されて、一対の保持腕５、５が落下物受け部材４とともに、巣１の下方であって地面、床面等の下の面から離れた上方位置に取り付けられる。
【００４４】
また、落下物受け具２とか落下物受け部材設置具３は、一対の保持腕５、５間の角度を維持する維持手段１０を備える。図示実施の形態においては、この維持手段１０は、一対の保持腕５、５に渡るように取り付けられる、例えば合成樹脂製の角度維持部材１０ａからなる。詳細には、角度維持部材１０ａは、維持部材本体１０ｂと、その維持部材本体１０ｂの下面側から突出して、各保持腕５に係合する係合片１０ｃとを備える。
【００４５】
維持部材本体１０ｂは、平板半円状に形成されて、その半円の中心が、前記軸心７と一致するようにして、落下物受け部材４よりも上側（図示実施の形態においては、落下物受け部材４と軸心７との間に形成される隙間９の上方）に配置される。また、この維持部材本体１０ｂには、径方向に延びる溝１０ｄが形成され、その溝１０ｄを境にして維持部材本体１０ｂの一部を折り取ることで、維持部材本体１０ｂの形状は、１／３円状とか１／４円状となる。そこで、維持部材本体１０ｂの本来の形状である半円状は、一対の保持腕５、５間の角度を１８０度としたときに対応し、維持部材本体１０ｂの１／３円状とか１／４円状は、前記角度を１２０度とか９０度としたときに対応する。
【００４６】
係合片１０ｃが設けられる位置は、前記一対の保持腕５、５間の角度（１８０度、１２０度、９０度等）に対応可能なそれぞれの位置（図９参照）であり、その係合片１０ｃは、保持腕５の前記係合部５ｈ（図示実施の形態においては、上下に並ぶ係合部５ｈ、５ｈのうちの、上側の係合部）の内側挿通孔Ｑ１に嵌められ、こうして、係合片１０ｃは、係合部５ｈ、つまりは保持腕５に係合する。
【００４７】
次に、以上の構成からなる落下物受け具２および落下物受け部材設置具３の作用効果について説明する。落下物受け具２とか落下物受け部材設置具３は、取付手段６を備え、その取付手段６（図示実施の形態においては、第１〜第３の取付手段の一つあるいは複数）によって、一対の保持腕５、５が落下物受け部材４とともに、巣１の下方であって地面、床面等の下の面から離れた上方位置に取り付けられる。このため、鳥類の巣１から落下する糞等の落下物を、地面、床面等の下の面に到達する前に、保持腕５、５で保持された落下物受け部材４で受けることができる。すなわち、落下物受け具２とか落下物受け部材設置具３によれば、一対の保持腕５、５で保持された落下物受け部材４を、巣１の下方であって地面、床面等の下の面から離れた上方位置に取り付けることで、巣１からの糞等の落下物による被害を簡単に防ぐことができる。
【００４８】
また、落下物受け部材４は、展開可能な蛇腹状に形成されて、落下物を受ける面積を変更可能であることから、保管の際には、落下物受け部材４を畳んで保管することができ、使用の際には、この落下物受け部材４を展開して（特に、所要の広さに展開して）配置することができ、また、廃棄の際には、落下物受け部材４を畳んで廃棄することができる。
【００４９】
また、落下物受け部材４は、保持腕５の受け部材取付部５ａに着脱可能に取り付けられる。このため、廃棄の際には、落下物受け部材４を、保持腕５から取り外して廃棄することができる。
【００５０】
また、落下物受け部材４の端縁に、上方に起立する立ち壁部４ａが設けられており、この立ち壁部４ａによって、落下物受け部材４で受けた落下物が端縁から落ちるのを防止することができる。また、保持腕５は、落下物受け部材４の落下物を受ける受け面４ｘよりも上方に延びており（図１、図２参照）、この保持腕５によって、落下物受け部材４で受けた落下物が保持腕５側から落ちるのを防止することができる。
【００５１】
また、落下物受け部材４は、一対の保持腕５、５の軸心７から離れて設けられて、その落下物受け部材４と軸心７との間に隙間９が形成されることから、その隙間９が風抜きの孔となり、風圧を逃がすことができる。図示実施の形態においては、角度維持部材１０ａ（詳しくは、維持部材本体１０ｂ）が、前記隙間９の上方に設けられるが、隙間９によって得られる前記風圧を逃がす効果を損なうことがないよう、その角度維持部材１０ａ（詳しくは、維持部材本体１０ｂ）は、落下物受け部材４よりも上方に離れて位置している。
【００５２】
また、一対の保持腕５、５間に、補助腕８が設けられて、その補助腕８で落下物受け部材４の中間部を保持することで、その中間部の垂れ下がりを防止することができる。
【００５３】
なお、本発明は、上述した実施の形態に限定されるわけではなく、その他種々の変更が可能である。例えば、図１１に示すように、落下物受け部材４の下方の位置に、宣伝、メッセージ等の告知表記が記される、あるいは記された告知部材１１が設けられてもよい。図示実施の形態においては、告知部材１１は、補助腕８から垂れ下がるようにその補助腕８に取り付け（図示実施の形態においては、着脱可能に取り付け）られる。もっとも、告知部材１１は、補助腕８と一体に設けられてもよく、また、落下物受け部材４とか保持腕５とかに、取り付けられたり、それらと一体に設けられてもよい。
【００５４】
また、補助腕８は、軸部８ａを備えなくても、その軸部８ａが、補助腕８とは別体に設けられて、補助腕８に、その別体の軸部８ａが差し入れられる筒状の軸受け部が設けられてもよい。また、この補助腕８は、複数設けられてもよく、また、必要でなければなくてもよい。
【００５５】
また、一対の保持腕５、５は、同一部材でなくてもよい。この場合、一方の保持腕５に、筒状の軸受け部を設けて、他方の保持腕５に、その軸受け部に差し入れる軸部を設けてもよい。また、一対の保持腕５、５は、軸心７を形成するセルフヒンジで繋がっていてもよい。
【００５６】
また、一対の保持腕５，５間の角度の維持が、角度維持部材１０ａを用いることなく、例えば取付手段６等によって達成されるのであれば、この角度維持部材１０ａはなくてもよい。
【００５７】
また、落下物受け部材４は、扇状に展開しなくても、図１２に示すように、直線状に展開してもよい。そして、この場合にも、一対の保持腕５、５は、落下物受け部材４の展開する方向の各端部に、その各端部に沿って設けられて、その各端部を保持する。
【００５８】
また、落下物受け部材４は、展開可能な蛇腹状に形成されなくてもよく、例えば、ビニールシートとか、古新聞、チラシ等の紙類とかのシート状物を単に広げたものでもよい。
【００５９】
また、保持腕５に設けられる連結部５ｇは、両面粘着テープ６ａに限るものではなく、互いに掛り合う掛合構造等、保持腕５、５どうしを連結できるものであれば、どのようなものでもよい。
【００６０】
また、第２の取付手段（取付手段６）である掛け部材６ｂの長さの設定にあたっては、落下物受け部材４の設置位置が、巣１に戻る鳥類に警戒心を与えない程度に巣１から離れるとともに、糞等の落下物が飛び散る範囲を落下物受け部材４でカバーできる位置となるように設定するのが望ましい。
【００６１】
また、前記掛け部材６ｂにおいて、その掛け部材６ｂの先端部６ｃが巣１に突き刺されたり巣１の縁に引っ掛けられたりするが、他に、その掛け部材６ｂの先端部６ｃとか係り部６ｅの箇所を、被取付物としての壁とか柱等に打ち込んだビス等の固着具で留めてもよく、この被取付物に留められた掛け部材６ｂを介して、保持腕５を落下物受け部材４とともに吊り下げることもできる。
【符号の説明】
【００６２】
１  巣
２  落下物受け具
３  落下物受け部材設置具
４  落下物受け部材
４ａ  立ち壁部
５  保持腕
５ａ  受け部材取付部
５ｇ  連結部
６  取付手段
６ａ  両面粘着テープ
６ｂ  掛け部材
６ｃ  先端部
７  軸心
８  補助腕
９  隙間
１０  維持手段
１１  告知部材
【図１】
2019122941.tif 000003
【図２】
2019122941.tif 000004
【図３】
2019122941.tif 000005
【図４】
2019122941.tif 000006
【図５】
2019122941.tif 000007
【図６】
2019122941.tif 000008
【図７】
2019122941.tif 000009
【図８】
2019122941.tif 000010
【図９】
2019122941.tif 000011
【図１０】
2019122941.tif 000012
【図１１】
2019122941.tif 000013
【図１２】
2019122941.tif 000014